(57)【要約】【課題】  エアコンの室内機を設置した状態で熱交換機アルミフィンや送風ファンを強アルカリ液→水道水の工程による洗浄では、焼肉屋、中華料理店など油を使うところでは油汚れの洗浄性能及び作業能率に課題があった。【解決手段】  図２の構成のエアコンの洗浄装置を採用することにより油汚れに対して早くきれいに洗浄するエアコンの洗浄装置を提供する。  プロパンガス対応の瞬間湯沸し器の給水口に水道水を接続、吐出口に高圧ポンプを接続、プロパンガスボンベをガス口に接続した構成からなる熱湯を使用したエアコンの洗浄装置。【選択図】  図２
2006003060.tif 000002
【特許請求の範囲】
【請求項１】
室内機と室外機を分離して設置する壁掛け型、天井埋め込み型及び天吊り型等のエアコンディショナ（以下、エアコンと略す）の室内機を室内に設置した状態で洗浄する洗浄装置において、プロパンガスボンベを熱源とするガス瞬間湯沸し器の給水口を軟質防水性の接続ホースを介して水道の蛇口に接続、他方の吐出口は耐熱軟質防水性の接続ホースを介して高圧ポンプの給水口に接続、高圧ポンプの吐出口には高圧耐熱軟質防水性の出力ホースを接続、該出力ホースの他端には洗浄ノズルを接続さらに該ガス瞬間湯沸し器のプロパンガス供給口にはガスホースを介してプロパンガスボンベを接続した構成からなることを特徴とするエアコン室内機の洗浄装置。
【請求項２】
ガス瞬間湯沸し器の給水口及び吐出口の接続にはワンタッチ接続が可能な構造を有することを特徴とする請求項１記載のエアコン室内機の洗浄装置。
【請求項３】
高圧ポンプの出力ホースに接続した洗浄ノズルのレバーに連動する通水の変化に対応して着火する圧電式点火装置を有する瞬間湯沸し器を備えたことを特徴とする請求項１記載のエアコン室内機の洗浄装置。
【請求項４】
ガス瞬間湯沸し器の給水口への接続ホースの他端に接続してある水道の蛇口に換えて、バケツに貯めた水道水を使用することを特徴とする請求項１記載のエアコン室内機の洗浄装置。
【請求項５】
ガス瞬間湯沸し器の吐出口の接続ホースと薬液タンクの出力を混合する混合水栓を介して高圧ポンプの給水口に混合水栓の出力を接続したことを特徴とする請求項１記載のエアコン室内機の洗浄装置。
【発明の詳細な説明】
【技術分野】
【０００１】  本発明は室内機と室外機とに分離したエアコン室内機の洗浄装置に関するものである。
【背景技術】
【０００２】  エアコン室内機の熱交換機アルミフィン（以下、アルミフィンと略す）や送風ファンの洗浄は前面パネルを取り外して行われるが、雑巾による払拭清掃やスプレー缶での洗浄では不十分である。そのため強アルカリ性の苛性ソーダ等の洗浄液を吹き付け、続いて該洗浄液を多量の水で洗い流す方法が採られている。従来は室内機を屋外に運び出して前記苛性ソーダの薬液を吹き付け後、多量の水で洗浄方法が採られていた。前記の課題を解決した洗浄装置についての特許を発明者等はすでに登録（特許文献１）している。以下、図１により特許文献１の技術を説明する。図１の洗浄装置は、室内機を包み込む軟質防水性の洗浄カバー１と、排水ホース５により該洗浄カバー１の下部１ｂに接続されて洗浄後の排液を受ける排液回収容器１２と、異なる洗浄液を貯える２つの洗浄液容器１０，１１と分岐水栓７及び洗浄ポンプ６を介して一つの洗浄液容器内の洗浄液を該洗浄カバーの前面（作業者側の面）の洗浄ノズル３の挿入孔１ａを通して前記室内機に洗浄薬液を噴射する洗浄ノズル３とで構成されている。該２つの洗浄液容器１０，１１にはアルカリ液（一般にはカセイソーダを使用している）と水道水がそれぞれ規定量入っている。最初にアルカリ液でエアコン３０の内部のアルミフィン３１と送風ファン３２に付着した汚れを目視しながら洗浄する。続いて水道水で同様にアルミフィン３１と送風ファン３２に付着した汚れを洗浄する洗浄装置である。
【特許文献１】  特許第３４０６０３８号
【発明の開示】
【発明が解決しようとする課題】
【０００３】  大半の汚れは前記した図１の構成の洗浄装置で問題ない性能までにきれいに洗浄できるが、焼き肉店、中華料理店などのように油類を多量に使用するところに設置してあるエアコンでは図１の構成の洗浄装置では十分な洗浄性能が得られない課題があった。前記の課題の解決策の一つとして、電気式ヒターにより加熱する高温蒸気式の洗浄機による洗浄方法が提案されているが蒸気の容量が小さく、洗浄に至るには長時間を要し機動性に欠ける課題がある。本発明はこれらの課題を解決して油汚れのエアコン室内機の内部を隅々まで能率良くきれいに洗浄する洗浄装置を提供するものである。
【課題を解決するための手段】
【０００４】  上記した課題を解決するため、本発明では、高圧ポンプの給水口（入力側）にガス瞬間湯沸し器を設置、該ガス瞬間湯沸し器に水道水を給水してプロパンガスボンベを熱源に熱湯にして高圧ポンプに供給することにより解決している。
【発明の効果】
【０００５】  図２に示した構成のエアコンの洗浄装置を考案することにより、従来の方法では十分な洗浄ができなかった油汚れを熱湯で早くきれいに洗浄することができる効果がある。さらに、熱湯は洗浄剤の洗浄能力を向上する効果及び洗浄後の機器の乾きを早くする効果を合わせ持つものである。【０００６】  請求項２では、ガス瞬間湯沸し器への水道水からの接続ホースの接続部及び高圧ポンプへの接続ホースへの接続部をワンタッチで着脱できるようにしたことを特徴とすることにより洗浄作業を能率良く行うことができる効果がある。また、図２に示すようにガス瞬間湯沸し器の吐出口と高圧ポンプの給水口との接続をワンタッチで出来るようにしたことにより重量のある高圧ポンプを分離して運ぶことができる効果がある。【０００７】  請求項３では、ガス瞬間湯沸し器の点火を高圧ポンプのピストルガン式の洗浄ノズルからの吐出水に連動する圧電式点火装置をガス瞬間湯沸し器に採用したことによりエアコン室内機の油汚れなどを熱湯で早くきれいに洗浄できる効果がある。【０００８】  請求項４では、水道水の蛇口からの給水に置き換えてバケツの貯水を使用することを特徴にしているので水道蛇口から離れているところに設置してあるエアコン室内機の洗浄作業においても熱湯を使用して円滑に作業を行うことができる効果がある。【０００９】  請求項５では、洗浄薬液を水道水に混合して使用できるようにしたので洗浄薬液と熱湯の力でエアコンをきれいに洗浄する効果がある。
【発明を実施するための最良の形態】
【００１０】  以下、本発明の実施の形態を図２に基づいて説明する。
図２においては、２１はガス瞬間湯沸し器、２２は２１にプロパンガスを供給するプロパンガスボンベ、２１と２２はガスホース２３で接続されている。ガス瞬間湯沸し器２１の水道水供給口（入力側）２４には接続ホース２７により水道水が供給されている。接続ホース２７の他端は水道の蛇口に接続されている。接続ホース２７は軟質防水性の合成樹脂ホースである。ガス瞬間湯沸し器２１の吐出口（出力側）２５と高圧ポンプ６の給水口（入力側）２６は接続ホース２８で接続されている。接続ホース２８は耐熱軟質防水性の合成樹脂ホースである。高圧ポンプ６の出力側には出力ホース２９及び洗浄ノズル３が接続されている。接続ホース２７、２８の接続口、２４，２５，２６はワンタッチで接続できる機構である。前記の構成の洗浄装置では洗浄ノズル３のレバーを操作することにより熱湯が出る機能とすることができる。ピストルガン式の洗浄ノズル３のレバーを引くと通水されるので水量の変化に対応して先止め式のガス瞬間湯沸し器２１のボイラーが点火して熱湯が高圧ポンプ６に供給され熱湯が洗浄ノズル３から噴射する。噴射する熱湯で油汚れ等をきれいに洗浄することができる。なお、ガス瞬間湯沸し器には通水に連動して作動する圧電式点火装置２１ａが内蔵されている。【００１１】  図３は、請求項２の実施例で全自動洗濯機等で採用されているワンタッチの接続機構を示す。
２７ａはメス部、２７ｂはオス部である。２７ａ、２７ｂは嵌め合いにより結合、水が漏れないようになる。【００１２】  図４は、図２に示す水道の蛇口からの水道水に換えてバケツ４１に貯えた水道水を活用してエアコン室内機の洗浄を熱湯で洗浄する方法を示した説明図である。【００１３】  図５は薬液タンク４２の出力とガス瞬間湯沸しの吐出口とを混合する混合水栓４３を介して該混合水栓４３の出力を高圧ポンプの給水口２６に接続する説明図である。薬液タンク内の薬液を熱湯に混合して洗浄することができる。４４は切り替えコックで、薬液を混人しないときは弁を閉じ、薬液を混入するときは弁を開く作用をする。
【図面の簡単な説明】
【００１４】
【図１】従来の実施形態を説明する構成図
【図２】本発明の請求項１、請求項２及び請求項３の実施形態を示す構成図
【図３】本発明の請求項２の実施形態を示すワンタッチ接続の構成図
【図４】本発明の請求項４の実施形態を示す構成図
【図５】本発明の請求項５の実施形態を示す構成図
【符号の説明】
【００１３】  １      洗浄カバー
２      洗浄機
３      洗浄機のノズル
４      コントローラ
５      排水ホース
６      高圧ポンプ
７      分岐水栓
８      制御回路
１０，１１、洗浄液容器
１２    排液回収容器
２１    ガス瞬間湯沸し器
２１ａ  圧電式点火装置
２２    プロパンガスボンベ
２３    ガスホース
２４    ガス瞬間湯沸し器の給水口
２５    ガス瞬間湯沸し器の吐出口
２６    高圧ポンプの給水口
２７、２８  接続ホース
２７ａ  ワンタッチ接続（メス）
２７ｂ  ワンタッチ接続（オス）
３０    エアコン室内機
３１    熱交換器アルミフィン
３２    送風ファン
４１    バケツ
４２    薬液タンク
４３    混合水栓
４４    切り替えコック
【図１】
2006003060.tif 000003
【図２】
2006003060.tif 000004
【図３】
2006003060.tif 000005
【図４】
2006003060.tif 000006
【図５】
2006003060.tif 000007